【事件の表示】
　平成　９年特許願第２８７９９６号「糊長さ定寸決め装置」拒絶査定に対する審判事件［平成１１年　４月２０日出願公開、特開平１１−１０５４５４］について、次のとおり審決する。
【結　論】
　本件審判の請求は、成り立たない。
【理　由】
１．手続の経緯、本願発明
　本願は、平成９年１０月２日の出願であって、その請求項１に係る発明は、平成１５年７月８日付けの手続補正書により補正された明細書及び図面の記載からみて、その特許請求の範囲の請求項１に記載された次の事項により特定されるとおりのものと認める。（以下、「本願発明」という。）
「機械の回転軸に取付けたエンコーダーよりの原点信号による機械の１サイクル毎に定められた１点の基準点と、基準点より糊供給開始点までのカウント数及び糊供給カウント数を入力するための設定器と、該設定器よりの設定数及びエンコーダーよりのパルスなどを演算して出力を制御する制御部と、糊の供給を制御するバルブ、ソレノイドなどとからなり、エンコーダーよりの原点信号による機械の定められた１点を基準点として製本機の糊付ローラーに糊を供給するバルブソレノイドなど、または糊供給のスクレッパーを動作させるバルブソレノイドなどを構成して糊の供給、停止を行うことを特徴とする糊長さ定寸決め装置。」
　
２．引用例
　これに対して、当審における平成１５年５月１９日付けで通知した拒絶の理由に引用した特開昭６０−７８７９２号公報（以下「引用例」という。）には、以下の（イ）〜（ト）の記載がある。
（イ）「周期運動するクランプの挟持する折丁を検出できる折丁検出器と、クランプの１回周期運動に多数のパルス信号を発生させるパルス発信機と、機械の回転軸に設けられた電気信号の遅れ算定のための信号を発する発電機と、これらからの出力信号によって糊付ロールへの塗布長さを規制するソレノイドが制御されるようにした制御器とからなり、折丁に適合した位置で所定長の糊量を供給するようにしたことを特徴とする製本機の糊付ロール塗布長設定装置。」（特許請求の範囲）
（ロ）「１は長さｌの折丁２を挟持して周期運動するクランプで、該クランプ１の１周期動で１回転する回転軸３には、外周１個所にスリット溝５を有するスリット板４及び外周に等間隔で多数のスリット溝７を有するスリット板６が夫々固止されている。そして上記スリット板４，６には、夫々のスリット溝５，７を検出するための近接スイッチ８，９が夫々適宜配設されていてパルス発信機Ａ，Ｂを夫々構成している。」（公報第１頁右欄１６行〜第２頁左上欄４行）
（ハ）「１５は軸１５ａによって回転する下部が糊タンク内に浸漬している糊付ロールで折丁２の背に糊を塗布するためのものである。１６は回動軸１７に固止されたスクレーパで、その開閉作動によって糊塗布長さが設定されるようになっている。．．．スクレーパー１６の開閉作動を司るソレノイド２１が設けられ．．．２４は前記光電折丁検出器１４，パルス発信機Ａ，Ｂ及び発電機１３またはインバーターなどからの出力信号によって上記ソレノイド２１を制御するように構成されている制御器である。．．．ソレノイド２１でスクレーパー１６を作動させる方式の代りにソレノイドバルブなどを操作せしめて糊付ロール１５に糊を吹付ける方式も採れる。」（公報第２頁左上欄１４行〜右上欄１８行）
（ニ）「先ずクランプ１の１回周期運動に１回のパルス信号をパルス発信機Ａによって、また同連続的に多数の等パルス信号をパルス発信機Ｂによって夫々発生させる。そこでクランプ１の１周期移動を上記のパルス数で割ると、１パルスのクランプ１（折丁２）の移動量ｘが決まる。そして折丁２の長さｌ（Ａ本の場合ｌ１　，Ｂ本の場合ｌ２）を移動量ｘで割ると折丁２の長さのパルス数Ｖが決まる。以上のことから、移動量ｘは常に一定であるために、折丁２の長さｌが決定すればｌ／ｘ＝Ｖで、折丁２の長さｌ間に発生するパルス信号数Ｖ（Ｖ１はＡ本の場合，Ｖ２はＢ本の場合）は計算で出すことができる。そしてそのパルス数Ｖ間だけソレノイド２１に通電することによって、第１図のようにスクレーパー１６を作動させて糊付ロール１５に塗布する糊の長さを調整することができるものである。」（公報第２頁左下欄１〜１８行）
（ホ）「機械の回転速度と応答遅れとの関係、．．．折丁２（本）の長さｌとパルスの関係を夫々制御器２４に信号として入力すれば、制御器２４内で演算を行い．．．また幾パルス分の長さの本であるかを計算することができる。」（公報第２頁右下欄８〜１４行）
（ヘ）「制御器２４は折丁２の入った信号と一周期パルスの始期Ｈにより、機械の回転速度と応答遅れのパルス数を計算し、同時に１周期パルスとリレノイド２１作動までのパルス数ａより、応答遅れパルス数Ｆを引いた残りパルスの始期Ｐでソレノイド２１の作動信号を出し」（公報第３頁左上欄２〜７行）
（ト）「パルス発信機．．．からの出力信号により作用する制御器によって糊付ロールのスクレーパーの開閉作動を司るソレノイドが制御されるようにしたものであるから、如何なる折丁に対しても自動制御によって常に安定した正確な糊付ロール塗布長の設定が行える」（公報第３頁左上欄１２〜１９行）
　引用例における前記摘示の記載を含む明細書及び第１、２図によれば、引用例には、以下の発明（以下、「引用発明」という。）が記載されているものと認められる。
「クランプ１の回転軸３に固止されているスリット板４、６、スリット板４のスリット溝５からの信号を検出して発生するクランプ１の１周期パルスの始期Ｈと、機械の回転速度、折丁２（本）の長さとパルスの関係を入力して演算を行い、幾パルス分の長さの本であるかを計算する制御器２４と、糊付ロールへの塗布長さを規制するソレノイド２１とからなり、制御器２４は、クランプ１の１回周期運動に１回のパルス信号及び光電折丁検出器１４の出力信号、１周期パルスとソレノイド２１作動までのパルス数ａに基づき、製本機の糊付ローラー１５に糊を吹き付けるソレノイドバルブまたはスクレーパ１６を開閉作動させるソレノイド２１を操作せしめ、折丁の長さでソレノイドの作動信号を切り糊付ロール１５へ塗布する糊の長さを調整する糊付ロール塗布長設定装置。」
　
３．対比
　本願発明と引用発明を対比すると、
　引用発明における「クランプ１の回転軸３」、「固止されている」、「スリット板４、６」、「スリット溝５を検出したパルス発信機Ａからの信号」、「クランプ１の１周期パルスの始期Ｈ」、「パルス数ａ」、「制御器２４」、「糊付ロール１５のスクレーパーの開閉作動を司るソレノイド２１」、「糊付ロール１５」、「ソレノイドバルブ」、「糊付ロール塗布長設定装置」は、それぞれ、
　本願発明における「機械の回転軸」、「取付けた」、「エンコーダー」、「エンコーダーよりの原点信号」、「機械の１サイクル毎に定められた１点の基準点」、「カウント数」、「制御部」、「糊の供給を制御するバルブ、ソレノイド」、「製本機の糊付ローラ」、「バルブソレノイド」、「糊長さ定寸決め装置」に相当し、
　引用発明の前記摘示の記載（ホ）「機械の回転速度．．．折丁２（本）の長さｌとパルスの関係を夫々制御器２４に信号として入力すれば、制御器２４内で演算を行い．．．また幾パルス分の長さの本であるかを計算することができる。」、同じく記載（ヘ）「制御器２４は折丁２の入った信号と一周期パルスの始期Ｈにより、機械の回転速度と応答遅れのパルス数を計算し、同時に１周期パルスとソレノイド２１作動までのパルス数ａより、応答遅れパルス数Ｆを引いた残りパルスの始期Ｐでソレノイド２１の作動信号を出し」より、引用発明１の制御器２４は、本願発明における設定器の「基準点より糊供給開始点までのカウント数及び糊供給カウント数を入力するため」の機能を備えていると認められる。
　また、前記摘示の記載（ハ）「１６は回動軸１７に固止されたスクレーパで、その開閉作動によって糊塗布長さが設定されるようになっている。．．．スクレーパー１６の開閉作動を司るソレノイド２１が設けられ．．．ソレノイド２１でスクレーパー１６を作動させる方式の代りにソレノイドバルブなどを操作せしめて糊付ロール１５に糊を吹付ける方式も採れる。」より、引用発明１には、本願発明の糊供給のスクレッパーを動作させるバルブソレノイド並びに製本機の糊付ローラーに糊を供給するバルブソレノイドが記載されていると認められる。
　そうすると、本願発明と引用発明の両者は、以下の点でそれぞれ、一致ならびに相違するものと認められる。
　一致点「機械の回転軸に取付けたエンコーダーよりの原点信号による機械の１サイクル毎に定められた一点の基準点と、基準点より糊供給開始点までのカウント数及び糊供給カウント数を入力するための設定器と、該設定器よりの設定数及びエンコーダーよりのパルスなどを演算して出力を制御する制御部と、糊の供給を制御するバルブ、ソレノイドなどとからなり、製本機の糊付ローラーに糊を供給するバルブソレノイドなど、または糊供給のスクレッパーを動作させるバルブソレノイドなどを構成して糊の供給、停止を行う糊長さ定寸決め装置。」の点。   
　相違点：エンコーダーよりの原点信号による機械の１サイクル毎に定められた一点の基準点を、本願発明は、糊の供給、停止を行う原点信号としているのに対し、引用発明１は、光電折丁検出器からの信号に対して機械の動作立ち後れのパルス数検出の基準点とし、糊の供給、停止を行う原点信号は光電折丁検出器からの信号としている点。
　
４．当審の判断
　上記相違点について検討するに、機械の回転軸に取付けたエンコーダーよりの原点信号による機械の１サイクル毎に定められた１点を、装置の駆動、停止を行なう基準点とすることは、従来から周知である（必要ならば、特開平７−２７３９５０号公報【００１７】【００２１】【００３３】、特開平５−１２９７９６号公報、特開平９−７６４７１号公報）から、引用発明における、光電折丁検出器よりの信号に代えて、装置の駆動、停止を行なう基準点として上記従来から周知の機械の１サイクル毎に定められた１点を採用して、上記相違点にかかる本願発明の構成のようにすることは当業者が容易に想到できるものである。そして、上記相違点にかかる本願発明の構成による効果も当業者が事前に予測可能の範囲内のものである。
　
５．むすび
　したがって、本願発明は、その発明の属する技術の分野における通常の知識を有する者が、その出願前国内において頒布された刊行物に記載された引用発明及び前示の周知技術に基いて容易に発明をすることができたものであるから、特許法第２９条第２項の規定により特許を受けることができない。
　よって、結論のとおり審決する。